(57)【要約】【課題】天板上にバーナを配置したガスコンロであって、天板の過熱を防止できるようにしたものを提供する。【解決手段】バーナ２は、外周形状が平面視円形又は多角形であって、外周面に周方向の間隔を存して多数の炎孔２１を有し、バーナ底面が天板１から浮いている。バーナ底面より下方で且つ天板１より上方の位置に、バーナ外周面よりも径方向外方に張り出す環状の遮熱板５が設けられ、遮熱板５と天板１との間の空隙が遮熱板５の内周空間を介して遮熱板５とバーナ底面との間の空隙に連通する。また、バーナ２は環状であって、遮熱板５と天板１との間の空隙が遮熱板５の内周空間を介してバーナ中央部の貫通穴２２にも連通する。更に、バーナ２に、放射状に外方にのびる複数の五徳爪６を一体に形成する。【選択図】図４
2016200375.tif 000002
【特許請求の範囲】
【請求項１】
天板上にバーナを配置したガスコンロであって、
バーナは、外周形状が平面視円形又は多角形であって、外周面に周方向の間隔を存して多数の炎孔を有し、バーナ底面が天板から浮いていて、天板とバーナ底面との間の上下方向位置に、バーナの外周面よりも径方向外方に張り出す環状の遮熱板が設けられ、遮熱板と天板との間の空隙が遮熱板の内周空間を介して遮熱板とバーナ底面との間の空隙に連通することを特徴とするガスコンロ。
【請求項２】
前記バーナは、中央部に上下方向の貫通穴を有する環状に形成され、前記遮熱板と前記天板との間の空隙が遮熱板の内周空間を介して貫通穴にも連通することを特徴とする請求項１記載のガスコンロ。
【請求項３】
前記バーナに、放射状に外方にのびる複数の五徳爪が一体に形成されることを特徴とする請求項１又は２記載のガスコンロ。
【発明の詳細な説明】
【技術分野】
【０００１】
本発明は、天板上にバーナを配置したガスコンロに関する。
【背景技術】
【０００２】
従来、この種のガスコンロとして、天板上に、放射状に外方にのびる複数のバーナボディを有するバーナを配置し、これらバーナボディを五徳に兼用してその上に調理容器を載置できるようにしたものが知られている(例えば、特許文献１参照)。
【０００３】
然し、上記従来例のものは、各バーナボディの底面が天板に接していて、燃焼時に各バーナボディから天板に伝熱すると共に、各バーナボディの炎孔に生ずる火炎からの輻射熱が天板に及んで、天板の過熱を生ずる不具合がある。
【先行技術文献】
【特許文献】
【０００４】
【特許文献１】特開２００９−８５５８７号公報
【発明の概要】
【発明が解決しようとする課題】
【０００５】
本発明は、以上の点に鑑み、天板上にバーナを配置したガスコンロであって、天板の過熱を防止できるようにしたものを提供することをその課題としている。
【課題を解決するための手段】
【０００６】
上記課題を解決するために、本発明は、天板上にバーナを配置したガスコンロであって、バーナは、外周形状が平面視円形又は多角形であって、外周面に周方向の間隔を存して多数の炎孔を有し、バーナ底面が天板から浮いていて、天板とバーナ底面との間の上下方向位置に、バーナの外周面よりも径方向外方に張り出す環状の遮熱板が設けられ、遮熱板と天板との間の空隙が遮熱板の内周空間を介して遮熱板とバーナ底面との間の空隙に連通することを特徴とする。
【０００７】
本発明によれば、バーナ底面を天板から浮かせているため、燃焼時のバーナから天板への伝熱が抑制されると共に、バーナ外周面の炎孔に生ずる火炎からの輻射熱が天板に及ぶことを遮熱板により遮ることができる。更に、外方から遮熱板と天板との間の空隙に流入する空気が遮熱板の内周空間と、遮熱板とバーナ底面との間の空隙とを介して下方からバーナ外周面の炎孔に二次空気として供給される。そのため、遮熱板と天板との間の空隙に燃焼中常に空気が流れることになり、この空気により天板が冷却され、バーナから天板への伝熱の抑制及び火炎からの輻射熱の遮熱と相俟って天板の過熱を効果的に防止できる。
【０００８】
また、本発明において、バーナは、中央部に上下方向の貫通穴を有する環状に形成され、遮熱板と天板との間の空隙が遮熱板の内周空間を介して貫通穴にも連通することが望ましい。これによれば、遮熱板と天板との間の空隙に流入した空気が遮熱板とバーナ底面との間の空隙を介して下方から炎孔に二次空気として供給されるだけでなく、貫通穴を経由しバーナ上面と五徳に載置した調理容器の底面との間の空隙を介して上方からも炎孔に二次空気として供給される。その結果、遮熱板と天板との間の空隙に流れる空気量が多くなり、天板が効率よく冷却される。
【０００９】
更に、本発明においては、バーナに、放射状に外方にのびる複数の五徳爪が一体に形成されることが望ましい。これによれば、別途五徳を設ける必要がなく、部品点数を削減できる。また、一般的に、五徳爪と同一方位に位置するバーナ外周面の部分は、五徳爪に火炎が触れないように、炎孔を形成しないか或いは小さな炎孔を形成する特定部位としているが、五徳爪をバーナに一体化すれば、バーナ外周面の特定部位と五徳爪との位置関係が保たれるので、五徳の誤セットで五徳爪が特定部位から外れるようなことがなく、五徳爪に火炎が触れることで発生する燃焼不良を確実に防止できる。
【図面の簡単な説明】
【００１０】
【図１】本発明の第１実施形態のガスコンロの要部の斜視図。
【図２】図１のＩＩ−ＩＩ線で切断した断面図。
【図３】本発明の第２実施形態のガスコンロの要部の斜視図。
【図４】図３のＩＶ−ＩＶ線で切断した断面図。
【発明を実施するための形態】
【００１１】
図１を参照して、１は、ガスコンロの天板を示しており、この天板１上に、バーナ２と、バーナ２を囲うようにして複数の五徳爪３１を有する五徳３とが配置されている。バーナ２は、外周形状が平面視円形であって、外周面に周方向の間隔を存して多数の炎孔２１を有し、且つ、中央部に上下方向の貫通穴２２を有する環状に形成されている。
【００１２】
図２も参照して、より具体的に説明すれば、バーナ２は、環状のバーナボディ２ａと、バーナボディ２ａ上に所定の位相で載置される環状のバーナキャップ２ｂとで構成されており、バーナボディ２ａの外周面に炎孔２１を形成している。また、天板１の下には、ガスノズル４１を臨ませた上流端の流入口４２を有する混合管４が設置されている。混合管４の下流端部４３は、上方に屈曲する内外２重の筒状に形成されており、この下流端部４３を天板１に開設した開口１１を通して天板１上に突出させている。そして、混合管４の下流端部４３の上端にバーナボディ２ａを接続して、混合気がバーナ２に供給されると共に、バーナ２がその底面、即ち、バーナボディ２ａの底面を天板１から浮かせた状態で支持されるようにしている。
【００１３】
また、天板１とバーナ２底面（バーナボディ２ａの底面）との間の上下方向位置に、バーナ２外周面よりも径方向外方に張り出す環状の遮熱板５を設けている。遮熱板５は、バーナボディ２ａの底面の周方向複数個所に垂設した突起２３の下端にかしめ等で固定されている。そして、遮熱板５と天板１との間の空隙が遮熱板５の内周空間(遮熱板５の径方向内方の空間)を介して遮熱板５とバーナボディ２ａの底面との間の空隙に連通するようにしている。尚、遮熱板５を突起２３と共にバーナボディ２ａと一体成形することも可能である。
【００１４】
本実施形態によれば、バーナ２底面を天板１から浮かせているため、燃焼時のバーナ２から天板１への伝熱が抑制されると共に、バーナ２外周面の炎孔２１に生ずる火炎からの輻射熱が天板１に及ぶことを遮熱板５により遮ることができる。更に、外方から遮熱板５と天板１との間の空隙に流入する空気が遮熱板５の内周空間と、遮熱板５とバーナ２底面との間の空隙とを介して下方からバーナ２外周面の炎孔２１に二次空気として供給される。そのため、遮熱板５と天板１との間の空隙に燃焼中常に空気が流れることになり、この空気により天板１が冷却され、バーナ２から天板１への伝熱の抑制及び火炎からの輻射熱の遮熱と相俟って天板１の過熱を効果的に防止できる。
【００１５】
次に、図３、図４に示す第２実施形態について説明する。第２実施形態の基本的な構造は上記第１実施形態のものと特に異ならず、第１実施形態と同様の部材、部位に上記と同一の符号を付している。第２実施形態の第１実施形態との主たる相違点は、バーナ２、具体的にはバーナボディ２ａに、放射状に外方にのびる複数の五徳爪６を一体に形成したことと、第１実施形態の混合管４に代えて、天板１上に、バーナ２に混合気を供給する、バーナ２から外方にのびる導管７を配置したことである。
【００１６】
各五徳爪６の外端部には、下方に屈曲して天板１に着座する脚部６１が形成されている。そして、五徳爪６によりバーナ２がその底面を天板１から浮かせた状態で天板１上に支持されるようにしている。
【００１７】
また、導管７の内端部（バーナ２側の端部）はバーナボディ２ａに接続され、導管３の外端部は下方に屈曲して、天板１に形成した透孔１２に連通している。透孔１２には、天板１の下に配置したガス供給管８の下流端のガスノズル８１が臨んでいる。ガスノズル８１は、一次空気吸引筒８２を具備しており、ガスノズル８１からの燃料ガスの噴射に伴い一次空気吸引筒８２に空気が吸引されて、混合気が透孔１２を介して導管７に供給される。尚、一次空気が不足しないように、ガス供給管８にファン８３から補助的に一次空気を供給するようにしている。
【００１８】
第２実施形態では、天板１上に突出する第１実施形態の如き混合管４が存在しないため、バーナ２を環状に形成することで、遮熱板５と天板１との間の空隙が遮熱板５の内周空間を介して遮熱板５とバーナ２底面との間の空隙に連通するだけでなく、バーナ２中央部の貫通穴２２にも連通する。従って、遮熱板５と天板１との間の空隙に流入した空気が遮熱板５とバーナ２底面との間の空隙を介して下方から炎孔２１に二次空気として供給されるだけでなく、貫通穴２２を経由しバーナ２上面と五徳爪７に載置した調理容器の底面との間の空隙を介して上方からも炎孔２１に二次空気として供給される。その結果、遮熱板５と天板１との間の空隙に流れる空気量が多くなり、天板１が効率よく冷却される。
【００１９】
更に、第２実施形態では、五徳爪６がバーナ２に一体であるため、第１実施形態の如き五徳３が不要となって、部品点数を削減できる。また、一般的に、五徳爪と同一方位に位置するバーナ外周面の部分は、五徳爪に火炎が触れないように、炎孔を形成しないか或いは小さな炎孔を形成する特定部位としている。これは第１実施形態のものも同様である。然し、第１実施形態の如くバーナ２と別体の五徳３を設ける場合には、五徳３の誤セットで五徳爪が特定部位から外れ、五徳爪に火炎が触れて燃焼不良を生ずることがある。これに対し、第２実施形態の如く五徳爪６をバーナ２と一体化すれば、バーナ２外周面の特定部位と五徳爪６との位置関係が保たれるため、五徳爪６が特定部位から外れることがなく、五徳爪６に火炎が触れることで発生する燃焼不良を確実に防止できる。
【００２０】
また、第２実施形態によれば、天板１上にバーナ２から外方にのびる導管７を配置するため、煮こぼれがかかりやすいバーナ２の配置部直下の天板１の部分に、第１実施形態の開口１１の如き混合管等を挿通するための上下方向に貫通する開口を形成せずに済む。そのため、煮こぼれが開口からコンロ本体内に侵入することがなく、コンロ内部の耐久性が向上する。
【００２１】
更に、第２実施形態では、導管７を、複数の五徳爪６のうちの所定の五徳爪である♯１の五徳爪６で覆われるように設けている。即ち、♯１の五徳爪６の下面及び脚部６１の径方向内方を向く面に凹溝６２を形成して、この凹溝６２に導管７を嵌め込んでいる。これによれば、導管７が目隠しされて、体裁が良好になる。
【００２２】
また、第２実施形態では、♯１の五徳爪６とその対角の♯２の五徳爪６が着座する天板１の部分に凹部１３を形成して、五徳爪６及びバーナ２を位置決めできるようにしている。
【００２３】
以上、本発明の実施形態について図面を参照して説明したが、本発明はこれに限定されるものではなく、本発明の趣旨を逸脱しない範囲で種々変形して実施することができる。例えば、上記実施形態では、バーナ２の外周形状が平面視円形であるが、六角形や八角形等の平面視多角形であってもよい。
【符号の説明】
【００２４】
１…天板、２…バーナ、２１…炎孔、２２…貫通穴、５…遮熱板、６…五徳爪。
【図１】
2016200375.tif 000003
【図２】
2016200375.tif 000004
【図３】
2016200375.tif 000005
【図４】
2016200375.tif 000006